(57)【要約】  無線通信システムの送信制御情報に関する技術が説明される。システムは、肯定応答（ＡＣＫ）チャネル及びチャネル品質インジケータ（ＣＱＩ）チャネルをサポートする。これらのチャネルは、異なるターゲット信号対雑音比（ＳＮＲ）を有する。異なるユーザ設備（ＵＥ）からのＡＣＫとＣＱＩチャネルは、同じリソース・ブロックで多重化される。１つの設計において、ＡＣＫチャネルと多重化されない場合、ＣＱＩチャネルの送信電力は、通常のターゲットＳＮＲを達成するために設定され、ＡＣＫチャネルと多重化される場合、より低いターゲットＳＮＲを達成するために低減される。別の設計において、ＣＱＩチャネルと多重化されない場合、ＡＣＫチャネルの送信電力は、通常のターゲットＳＮＲを達成するために設定され、ＣＱＩチャネルと多重化される場合、より高いターゲットＳＮＲを達成するために低減される。ＣＱＩチャネルは、性能劣化を緩和するためにランダムにホップする。
2010529720.tif 000002
【特許請求の範囲】
【請求項１】
第１の制御チャネルが他のユーザ設備（ＵＥ）からの第２の制御チャネルと多重化されない場合、前記第１の送信電力レベルで前記第１の制御チャネルを送ることと；
前記第１の制御チャネルが前記他のＵＥからの前記第２の制御チャネルと多重化される場合、前記第１の送信電力レベルと異なる第２の送信電力レベルで前記第１の制御チャネルを送ることと；
を含むことを特徴とする無線通信のための方法。
【請求項２】
前記第１の制御チャネルは、チャネル品質インジケータ（ＣＱＩ）チャネルを含むこと、
前記第２の制御チャネルは、肯定応答（ＡＣＫ）チャネルを含むこと、
前記第２の送信電力レベルは、前記第１の送信電力レベルより低いこと、
を特徴とする請求項１に記載の方法。
【請求項３】
前記他のＵＥからの前記ＡＣＫチャネルと多重化されない場合、前記第１の送信電力レベルは、前記ＣＱＩチャネルに対して第１のターゲット信号対雑音比（ＳＮＲ）を達成すること、
前記他のＵＥからの前記ＡＣＫチャネルと多重化される場合、前記第２の送信電力レベルは、前記ＣＱＩチャネルに対して第２のターゲットＳＮＲを達成すること、
前記第２のターゲットＳＮＲは、前記第１のターゲットＳＮＲより低いこと、
を特徴とする請求項２に記載の方法。
【請求項４】
前記第１の制御チャネルは、肯定応答（ＡＣＫ）チャネルを含むこと、
前記第２の制御チャネルは、チャネル品質インジケータ（ＣＱＩ）チャネルを含むこと、
前記第２の送信電力は、前記第１の送信電力レベルより高いこと、
を特徴とする請求項１に記載の方法。
【請求項５】
前記他のＵＥからの前記ＣＱＩチャネルと多重化されない場合、前記第１の送信電力レベルは、前記ＡＣＫチャネルに対する第１のターゲット信号対雑音比（ＳＮＲ）を達成すること、
前記他のＵＥからの前記ＣＱＩチャネルと多重化されない場合、前記第２の送信電力レベルは、前記ＡＣＫチャネルに対する第２のターゲットＳＮＲを達成すること、
前記第２のターゲットＳＮＲは、前記第１のターゲットＳＮＲより高いこと、
を特徴とする請求項４に記載の方法。
【請求項６】
前記第１の制御チャネルは、第１のビット数を運ぶ肯定応答（ＡＣＫ）チャネルを含むこと、
前記第２の制御チャネルは、前記第１のビット数と異なる第２のビット数を運ぶチャネル品質インジケータ（ＣＱＩ）チャネルを含むこと、
を特徴とする請求項１に記載の方法。
【請求項７】
前記ＡＣＫチャネルが前記他のＵＥからの前記ＣＱＩチャネルと多重化されない場合、前記第１の送信電力レベルで前記第１の制御チャネルを送ることは、前記第１の送信電力レベルでＡＣＫを送る又は第３の送信電力レベルで否定応答（ＮＡＫ）を送ることを含むこと、なお、前記第３の送信電力レベルは、前記第１の送信電力レベルより高い；
前記ＡＣＫチャネルが前記他のＵＥからの前記ＣＱＩチャネルと多重化される場合、前記第２の送信電力で前記第１の制御チャネルを送ることは、前記第２の送信電力レベルで前記ＡＣＫを送る又は第４の送信電力レベルで前記ＮＡＫを送ることを含むこと、なお、前記第４の送信電力レベルは、前記第２の送信電力レベルより高い；
を特徴とする請求項４に記載の方法。
【請求項８】
前記第１の制御チャネルと前記他のＵＥからの前記第２の制御チャネルとの多重化をランダム化するために前記第１の制御チャネルをホップすることを更に含むことを特徴とする請求項１に記載の方法。
【請求項９】
拡散することは、前記第１及び第２の制御チャネルの内の１つに対して使用され、前記第１の及び第２の制御チャネルのうちの他の１つに対して使用されないことを特徴とする請求項１に記載の方法。
【請求項１０】
前記第１及び第２の制御チャネルは、異なるターゲット信号対雑音比（ＳＮＲ）を備え、共に多重化される場合、異なる受信信号レベルを更に備えることを特徴とする請求項１に記載の方法。
【請求項１１】
前記第１の制御チャネルが前記他のＵＥからの前記第２の制御チャネルと多重化されるかどうか示す信号を受信することと；
前記信号に基づいて前記第１の制御チャネルのための前記第１又は第２の送信電力レベルを選択することと；
を更に含むことを特徴とする請求項１に記載の方法。
【請求項１２】
電力制御に基づいてユーザ設備（ＵＥ）の送信電力を調整することと；
第１又は第２の電力オフセットのそれぞれ及び前記ＵＥの前記調整された送信電力に基づいて前記第１又は第２の送信電力レベルを決定することと；
を更に含むことを特徴とする請求項１に記載の方法。
【請求項１３】
第１の制御チャネルが他のユーザ設備（ＵＥ）からの第２の制御チャネルと多重化されない場合、第１の送信電力レベルで前記第１の制御チャネルを送り、前記第１の制御チャネルが前記他のＵＥからの前記第２の制御チャネルと多重化される場合、前記第１の送信電力レベルと異なる第２の送信電力で前記第１の制御チャネルを送るように構成された少なくとも１つのプロセッサを含むことを特徴とする無線通信のための装置。
【請求項１４】
前記第１の制御チャネルは、チャネル品質インジケータ（ＣＱＩ）を含むこと、
前記第２の制御チャネルは、肯定応答（ＡＣＫ）チャネルを含むこと、
前記第２の送信電力レベルは、前記第１の送信電力より低いこと、
を特徴とする請求項１３に記載の装置。
【請求項１５】
前記第１の制御チャネルは、肯定応答（ＡＣＫ）チャネルを含むこと、
前記第２の制御チャネルは、チャネル品質インジケータ（ＣＱＩ）を含むこと、
前記第２の送信電力レベルは、前記第１の送信電力レベルより高いこと、
を特徴とする請求項１３に記載の装置。
【請求項１６】
前記少なくとも１つのプロセッサは、前記第１の制御チャネルを前記他のＵＥからの前記第２の制御チャネルと多重化することをランダム化するために前記第１の制御チャネルをホップするように構成されていることを特徴とする請求項１３に記載の装置。
【請求項１７】
前記少なくとも１つのプロセッサは、電力制御に基づいてユーザ設備（ＵＥ）の送信電力を調整し、第１又は第２の電力オフセットのそれぞれ及び前記ＵＥの前記調整された送信電力に基づいて前記第１又は第２の送信電力レベルを決定するように構成されていることを特徴とする請求項１３に記載の装置。
【請求項１８】
第１の制御チャネルが他のユーザ設備（ＵＥ）からの第２の制御チャネルと多重化される場合、第１の送信電力レベルで前記第１の制御チャネルを送るための手段と；
前記第１の制御チャネルが前記他のユーザ設備（ＵＥ）からの前記第２の制御チャネルと多重化されない場合、前記第１の送信電力レベルと異なる第２の送信電力レベルで前記第１の制御チャネルを送るための手段と；
を含むことを特徴とする無線通信のための装置。
【請求項１９】
前記第１の制御チャネルは、チャネル品質インジケータ（ＣＱＩ）を含むこと、
前記第２の制御チャネルは、肯定応答（ＡＣＫ）チャネルを含むこと、
前記第２の送信電力レベルは、前記第１の送信電力より低いこと、
を特徴とする請求項１８に記載の装置。
【請求項２０】
前記第１の制御チャネルは、肯定応答（ＡＣＫ）チャネルを含むこと、
前記第２の制御チャネルは、チャネル品質インジケータ（ＣＱＩ）を含むこと、
前記第２の送信電力レベルは、前記第１の送信電力レベルより高いこと、
を特徴とする請求項１８に記載の装置。
【請求項２１】
前記第１の制御チャネルを前記他のＵＥからの前記第２の制御チャネルと多重化することをランダム化するために前記第１の制御チャネルをホップする手段を更に含むことを特徴とする請求項１８に記載の装置。
【請求項２２】
電力制御に基づいてユーザ設備（ＵＥ）の送信電力を調整する手段と；
第１又は第２の電力オフセットのそれぞれ及び前記ＵＥの前記調整された送信電力に基づいて前記第１又は第２の送信電力レベルを決定する手段と；
を更に含むことを特徴とする請求項１８に記載の装置。
【請求項２３】
コンピュータ判読可能なメディアが：
第１の制御チャネルが他のユーザ設備（ＵＥ）からの第２の制御チャネルと多重化されない場合、第１の送信電力レベルで前記第１の制御チャネルを送ることを少なくとも１つのコンピュータに実行させるためのコードと；
前記第１の制御チャネルが前記他のＵＥからの前記第２の制御チャネルと多重化される場合、前記第１の送信電力レベルと異なる第２の送信電力レベルで前記第１の制御チャネルを送ることを少なくとも１つのコンピュータに実行させるためのコードと；
を含むことを特徴とするコンピュータ・プログラム製品。
【請求項２４】
チャネル品質インジケータ（ＣＱＩ）が他のユーザ設備（ＵＥ）からの肯定応答（ＡＣＫ）チャネルと多重化されない場合、第１の送信電力レベルで前記ＣＱＩを送ること、
前記ＣＱＩが前記他のＵＥからの前記ＡＣＫチャネルと多重化される場合、前記第１の送信電力レベルより低い第２の送信電力で前記ＣＱＩを送ること、
を含むことを特徴とする無線通信のための方法。
【請求項２５】
拡散せずに前記ＣＱＩチャネルのためのマルチプル・データ・シーケンスを生成することを更に含むこと、なお、前記第２の送信電力レベルで前記ＣＱＩチャネルを送ることは、前記第２の送信電力レベルでリソース・ブロックのマルチプル・シンボル周期の前記マルチプル・データ・シーケンスを送ることを含み、前記他のＵＥからの前記ＡＣＫチャネルは、前記リソース・ブロック内で拡散されて送られることを特徴とする請求項２４に記載の方法。
【請求項２６】
参照信号シーケンスに基づいて前記ＣＱＩチャネルのためのマルチプル・データ・シーケンスの生成することを更に含むこと、なお、前記第２の送信電力レベルで前記ＣＱＩチャネルを送ることは、前記第２の送信電力レベルでリソース・ブロックのマルチプル・シンボル周期の前記マルチプル・データ・シーケンスを送ることを含み、前記他のＵＥからの前記ＡＣＫチャネルのためのデータ・シーケンスは、少なくとも１つの他の参照信号シーケンスで生成され、前記参照信号シーケンス及び前記少なくとも１つの他の参照信号シーケンスは、ベース・シーケンスの異なる周期シフトに対応することを特徴とする請求項２４に記載の方法。
【請求項２７】
チャネル品質インジケータ（ＣＱＩ）チャネルが他のユーザ設備（ＵＥ）からの肯定応答（ＡＣＫ）チャネルと多重化されない場合、第１の送信電力レベルで前記ＣＱＩチャネルを送り、前記ＣＱＩチャネルが前記他のＵＥからの前記ＡＣＫチャネルと多重化される場合、前記第１の送信電力レベルより低い第２の送信電力レベルで前記ＣＱＩチャネルを送るように構成された少なくとも１つのプロセッサを具備することを特徴とする無線通信のための装置。
【請求項２８】
前記少なくとも１つのプロセッサは、拡散せずに前記ＣＱＩチャネルのためのマルチプル・データ・シーケンスを生成し、前記第２の送信電力レベルでリソース・ブロックのマルチプル・シンボル周期内で前記マルチプル・データ・シーケンスを送るように構成されること、
前記他のＵＥからの前記ＡＣＫチャネルは、前記リソース・ブロック内で拡散されて送られること、
を特徴とする請求項２７に記載の装置。
【請求項２９】
前記少なくとも１つのプロセッサは、参照信号シーケンスに基づいて前記ＣＱＩチャネルのためのマルチプル・データ・シーケンスの生成し、前記第２の送信電力レベルでリソース・ブロックのマルチプル・シンボル周期内で前記マルチプル・データ・シーケンスを送るように構成されること、
前記他のＵＥからの前記ＡＣＫチャネルのためのデータ・シーケンスは、少なくとも１つの他の参照信号シーケンスで生成されること、
前記参照信号シーケンス及び前記少なくとも１つの他の参照信号シーケンスは、ベース・シーケンスの異なる周期シフトに対応すること、
を特徴とする請求項２７に記載の装置。
【請求項３０】
第１の制御チャネルが他のＵＥからの第２の制御チャネルと多重化されない場合、第１の受信信号対雑音比（ＳＮＲ）でユーザ設備（ＵＥ）からの前記第１の制御チャネルを受信することと；
前記第１の制御チャネルが前記他のＵＥからの前記第２の制御チャネルと多重化される場合、前記第１の受信ＳＮＲと異なる第２の受信ＳＮＲで前記第１の制御チャネルを受信することと；
を含むことを特徴とする無線通信のための方法。
【請求項３１】
前記第１の制御チャネルは、チャネル品質インジケータ（ＣＱＩ）チャネルを含むこと、
前記第２の制御チャネルは、肯定応答（ＡＣＫ）チャネルを含むこと、
前記第２の受信ＳＮＲは、前記第１の受信ＳＮＲより低いこと、
を特徴とする請求項３０に記載の方法。
【請求項３２】
前記他のＵＥからの前記ＡＣＫチャネルと多重化される場合、前記ＣＱＩチャネルに対して消去検知を実行することと；
前記他のＵＥからの前記ＡＣＫチャネルと多重化されない場合、前記ＣＱＩチャネルに対する前記消去検知をスキップすることと；
を更に含むことを特徴とする請求項３１に記載の方法。
【請求項３３】
前記ＣＱＩチャネルがメトリックに基づいて信頼性があるかどうかを決定することと；
前記ＣＱＩチャネルが信頼性を有すると判断された場合、前記ＣＱＩチャネルから受信したＣＱＩレポートを使用することと；
前記ＣＱＩチャネルが信頼性を有しないと判断された場合、前記ＣＱＩリポートを放棄することと；
を更に含むことを特徴とする請求項３１に記載の方法。
【請求項３４】
前記第１の制御チャネルは、肯定応答（ＡＣＫ）チャネルを含むこと、
前記第２の制御チャネルは、チャネル品質インジケータ（ＣＱＩ）チャネルを含むこと、
前記第２の受信ＳＮＲは、前記第１の受信ＳＮＲより高いこと、
を特徴とする請求項３０に記載の方法。
【請求項３５】
前記第１及び第２の制御チャネルが共に多重化される場合、干渉除去で前記第１及び第２の制御チャネルに対して検知を実行することを更に含むことを特徴とする請求項３０に記載の方法。
【請求項３６】
第１の制御チャネルが他のＵＥからの第２の制御チャネルと多重化されない場合、第１の受信信号対雑音比（ＳＮＲ）でユーザ設備（ＵＥ）からの前記第１の制御チャネルを受信し、前記第１の制御チャネルが前記他のＵＥからの前記第２の制御チャネルと多重化される場合、前記第１の受信ＳＮＲと異なる第２の受信ＳＮＲで前記第１の制御チャネルを受信するように構成された少なくとも１つのプロセッサを含むことを特徴とする無線通信のための装置。
【請求項３７】
前記第１の制御チャネルは、チャネル品質インジケータ（ＣＱＩ）チャネルを含むこと、
前記第２の制御チャネルは、肯定応答（ＡＣＫ）チャネルを含むこと、
前記第２の受信ＳＮＲは、前記第１の受信ＳＮＲより低いこと、
を特徴とする請求項３６に記載の装置。
【請求項３８】
前記少なくとも１つのプロセッサは、前記他のＵＥからの前記ＡＣＫチャネルと多重化される場合、前記ＣＱＩチャネルに対して消去検知を実行し、前記他のＵＥからの前記ＡＣＫチャネルと多重化されない場合、前記ＣＱＩチャネルに対する前記消去検知をスキップするように構成されることを特徴とする請求項３７に記載の装置。
【請求項３９】
前記少なくとも１つのプロセッサは、前記ＣＱＩチャネルがメトリックに基づいて信頼性があるかどうかを決定し、前記ＣＱＩチャネルが信頼性を有すると判断された場合、前記ＣＱＩチャネルから受信したＣＱＩレポートを使用し、前記ＣＱＩチャネルが信頼性を有しないと判断された場合、前記ＣＱＩリポートを放棄するように構成されることを特徴とする請求項３９に記載の方法。
【請求項４０】
前記第１の制御チャネルは、肯定応答（ＡＣＫ）チャネルを含むこと、
前記第２の制御チャネルは、チャネル品質インジケータ（ＣＱＩ）チャネルを含むこと、
前記第２の受信ＳＮＲは、前記第１の受信ＳＮＲより高いこと、
を特徴とする請求項３６に記載の装置。
【請求項４１】
前記第１及び第２の制御チャネルが共に多重化される場合、前記少なくとも１つのプロセッサは、干渉除去で前記第１及び第２の制御チャネルに対して検知を実行することを更に含むことを特徴とする請求項３６に記載の装置。
【発明の詳細な説明】
【関連出願】
【０００１】
本出願は、アップリンク制御チャネルの多重化及び電力制御に関する方法及び装置と題される、２００７年５月１８日出願の米国仮特許出願第６０／９３８，９９５号の利益を主張する。この仮出願は、参照によって本明細書に組み込まれる。
【技術分野】
【０００２】
本開示は、一般的に通信に関し、特に、無線通信システムの送信制御情報のための技術に関する。
【背景技術】
【０００３】
無線通信システムは、音声、ビデオ、パケット・データ、メッセージング、ブロードキャストなどのような様々な通信コンテンツを提供するために広く展開されている。これらの無線システムは、利用可能なシステム・リソースを共有することで複数のユーザをサポートすることを可能にするマルチプル−アクセス・システムである。このようなマルチプル−アクセス・システムの例は、符号分割多元接続（ＣＤＭＡ）システム、時分割多元接続（ＴＤＭＡ）システム、周波数分割多元接続（ＦＤＭＡ）システム及び直交周波数分割多元接続（ＯＦＤＭＡ）システムを含む。
【０００４】
無線通信システムにおいて、ノードＢは、ダウンリンクでユーザ設備（ＵＥ）にトラフィック・データを送信し、及び／又はアップリンクでＵＥからトラフィック・データを受信する。ダウンリンク（又はフォワード・リンク）は、ノードＢからＵＥでの通信リンクを称し、アップリンク（又はリバース・リンク）は、ＵＥからノードＢでの通信リンクを称する。ＵＥは、ノードＢにダウンリンク・チャネル品質を表示するチャネル品質インジケータ（ＣＱＩ）情報を送る。ノードＢは、ＣＱＩ情報に基づいたレート又はトランスポート・フォーマットを選択し、ＵＥに選択されたレート又はトランスポート・フォーマットでトラフィック・データを送る。ＵＥは、ノードＢから受信したトラフィック・データに対して肯定応答（ＡＣＫ）情報を送信する。ノードＢは、ＡＣＫ情報に基づいてＵＥに新しいトラフィック・データを送信するべきか、未完のトラフィック・データを再送信するべきかを判断する。良い性能を達成するために信頼性の高いＡＣＫ及びＣＱＩ情報を送ることが望ましい。
【発明の概要】
【０００５】
無線通信システムの制御情報を送信するための技術がここに説明される。このシステムは、異なる性能要求及び異なるターゲット信号対雑音比（ＳＮＲ）を有するＡＣＫチャネル及びＣＱＩチャネルのような異なる制御チャネルをサポートする。
【０００６】
一つの態様において、異なるＵＥからのＡＣＫ及びＣＱＩチャネルは、同じリソース・ブロック上で多重化される。ＡＣＫ及びＣＱＩチャネルは、それらのターゲットＳＮＲを達成するために電力が制御される。この場合、ＣＱＩチャネルからの干渉は、ＡＣＫチャネルの性能を低減させる。１つの設計において、ＣＱＩチャネルの送信電力は、（ｉ）ＣＱＩチャネルがＡＣＫチャネルと多重化されない場合、ＣＱＩに対して通常のターゲットＳＮＲを達成するために設定され、（ｉｉ）ＣＱＩチャネルがＡＣＫチャネルと多重化される場合、低いターゲットＳＮＲを達成するために低減又はバック・オフされる。別の設計において、ＡＣＫチャネルの送信電力は、（ｉ）ＡＣＫチャネルがＣＱＩチャネルと多重化されない場合、ＡＣＫに対して通常のターゲットＳＮＲを達成するために設定され、（ｉｉ）ＡＣＫチャネルがＣＱＩチャネルと多重化される場合、より高いターゲットＳＮＲを達成するためにブーストされる。また別の設計において、これらのチャネルが共に多重化される場合、ＣＱＩチャネルに対してバックオフし、ＡＣＫチャネルに対してブーストすることの組み合わせが使用される。
【０００７】
ＣＱＩチャネルに対してより低いターゲットＳＮＲ及び／又はＡＸＫチャネルに対してより高いターゲットＳＮＲを使用することは、これらのチャネルが共に多重送信される場合、ＣＱＩ性能を低下させる。１つの設計において、ＵＥからのＣＱＩチャネルがランダムにホップするため、ＣＱＩチャネルは、ＡＣＫチャネルと常に多重化できない。従って、性能が低下する。別の設計において、ＡＣＫチャネルと多重化される場合、ノードＢは、ＣＱＩチャネルに対して消去検知を実行する。ノードＢは、ＣＱＩチャネルからＣＱＩレポートを受信し、それが十分に信頼できる場合、ＣＱＩレポートを使用し、そうでなければ破棄する。また別の設計において、ＡＣＫ及びＣＱＩチャネルが共に多重化される場合、ノードＢは、干渉除去を備えた検知を実行する。ノードＢは、最初にＡＣＫチャネル（より信頼性の高い）を検知し、次に、検知されたＡＣＫチャネルで干渉を評価し、消去し、その後、ＣＱＩチャネル（信頼性が高くない）を検知する。
【０００８】
開示の様々な態様及び特徴は、以下で詳細に記述される。
【図面の簡単な説明】
【０００９】
【図１】無線通信システムを示す図。
【図２】ダウンリンク及びアップリンク送信の例を示す図。
【図３】アップリンクに対する送信構造の例を示す図。
【図４】ＡＣＫ構造の例を示す図。
【図５】ＣＱＩ構造の例を示す図。
【図６】制御情報を送信するためのプロセスを示す図。
【図７】制御情報を送信するための装置を示す図。
【図８】ＣＱＩチャネルを送信するためのプロセスを示す図。
【図９】ＣＱＩチャネルを送信するための装置を示す図。
【図１０】制御情報を受信するためのプロセスを示す図。
【図１１】制御情報を受信するための装置を示す図。
【図１２】ノードＢ及びＵＥのブロック図。
【発明の詳細な説明】
【００１０】
ここに記載された技術は、ＣＤＭＡ、ＴＤＭＡ、ＦＤＭＡ、ＯＦＤＭＡ、ＳＣ−ＦＤＭＡ及び他のシステムのような様々な無線通信システムに対して使用される。「システム」及び「ネットワーク」という用語は、しばしば交換可能に使用される。ＣＤＭＡシステムは、ユニバーサル・テレストリアル・ラジオ・アクセス（ＵＴＲＡ）、ｃｄｍａ２０００などのような無線技術を実装される。ＵＴＲＡは、広帯ＣＤＭＡ（ＷＣＤＭＡ）及び他の異なるＣＤＭＡを含む。ｃｄｍａ２０００は、ＩＳ−２０００、ＩＳ−９５及びＩＳ−８５６標準をカバーする。ＴＤＭＡシステムは、グローバル移動体通信システム（ＧＳＭ）のような無線技術を実装してもよい。ＯＦＤＭＡシステムは、拡張ＵＴＲＡ（Ｅ−ＵＴＲＡ）、ウルトラ・モバイル・ブロードバンド（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、フラッシュ−ＯＦＤＭ（商標登録）などのような無線技術を実装する。ＵＴＲＡ及びＥ−ＵＴＲＡは、ユニバーサル・モバイル・テレコミュニケーション・システム（ＵＭＴＳ）の一部である。３ＧＰＰ・ロング・ターム・エボリューション（ＬＴＥ）は、ダウンリンクでＯＦＤＭＡを採用し、アップリンクでＳＣ−ＦＤＭＡを採用したＥ−ＵＴＲＡを使用するＵＭＴＳを近々公開する。ＵＴＲＡ、Ｅ−ＵＴＲＡ、ＵＭＴＳ、ＬＴＥ及びＧＳＭは、「第３世代パートナーシップ・プロジェクト」（３ＧＰＰ）と名づけられた組織からの文章において説明される。ｃｄｍａ２０００及びＵＭＢは、「第３世代パートナーシップ・プロジェクト２」（３ＧＰＰ２）と名づけられた組織からの文章において説明される。明確にするため、技術におけるある態様は、ＬＴＥに対して以下で説明され、ＬＴＥ専門用語は、以下の説明で多く使用される。
【００１１】
図１は、マルチプル・ノードＢ１１０を備えた無線通信システム１００を示す。ノードＢは、ＵＥと通信する固定局であり、拡張ノードＢ（ｅＮＢ）、基地局、アクセス・ポイントなどと呼ばれる。ＵＥ１２０は、システム全体にわたって分散され、各ＵＥは、ステイショナリー又はモバイルである。更に、ＵＥは、移動局、端末、アクセス端末、加入者ユニット、局などと呼ばれる。ＵＥは、携帯電話、携帯情報端末（ＰＤＡ）、無線モデム、無線通信装置、ハンドヘルド装置、ラップトップ・コンピュータ、コードレス・ホンなどである。「ＵＥ」と「ユーザ」の用語は、ここにおいて交換可能に使用される。
【００１２】
図２は、ノードＢによるダウンリンク送信及びＵＥによるアップリンク送信の例を示す。送信スケジュール（transmission timeline）は、サブフレーム単位に分割され、各サブフレームは、あらかじめ決められた継続時間、例えば、１ミリセカンド（ｍｓ）を有する。ＵＥは、ノードＢに対するダウンリンク・チャネル品質を周期的に評価し、ノードＢにＣＱＩチャネルでＣＱＩ情報を送る。ノードＢは、ダウンリンク送信のためにＵＥを選択し、ＵＥのために適切なトランスポート・フォーマット（例えば、変調及び符号スキーム）を選択するためにＣＱＩ情報及び／又は他の情報を使用する。ノードＢは、対応する符号語を得るためにトランスポート・ブロックを処理する。その後、ノードＢは、物理ダウンリンク共有チャネル（ＰＤＳＣＨ）で符号語送信を送り、ＵＥに物理ダウンリンク制御チャネル（ＰＤＣＣＨ）で対応する制御情報を送る。ＵＥは、ノードＢから受信された符号語送信を処理し、ＡＣＫチャネル上にＡＣＫ情報を送る。ＡＣＫ及びＣＱＩチャネルは、物理アップリンク制御チャネル（ＰＵＣＣＨ）の一部であってもよい。符号語が正確に復号される場合、ＡＣＫ情報は、ＡＣＫを含み、符号語が誤って復号される場合、否定応答（ＮＡＫ）を含む。ＮＡＫが受信される場合、ノードＢは、別の符号語送信を送り、ＡＣＫが受信される場合、新しい符号語送信を送る。図２は、ＡＣＫ情報が２サブフレームだけ遅れる例を示している。ＡＣＫ情報は、ある他の量だけ遅れても良い。
【００１３】
図３は、アップリンクに対して使用される送信構造３００の設計を示している。各サブフレームは、２つのスロットに分割される。各スロットは、固定された又は構成可能なシンボル周期、例えば、拡張された周期プレフィックスに対して６シンボル周期又は通常の周期プレフィックスに対して７シンボル周期を含む。
【００１４】
アップリンクについては、合計Ｋの副搬送波が利用可能であり、リソース・ブロックにグループ化される。各リソース・ブロックは、１つのスロットにＮの副搬送波（例えば、Ｎ＝１２の副搬送波）を含む。利用可能なリソース・ブロックは、データ・セクション及び制御セクションに分割される。図３で示されるように、制御セクションは、システム帯域幅の両端に形成される。制御セクションは、ＵＥによるアップリンクで送られる制御情報の量に基づいて選択される構成可能なサイズを有する。制御セクションのリソース・ブロックは、ＡＣＫ情報、ＣＱＩ情報などの送信のためにＵＥに割り当てられる。データ・セクションは、制御セクションに含まれない全てのリソース・ブロックを含む。一般的に、利用可能なリソース・ブロックの任意のサブセットは、制御情報を送るために利用され、残ったリソース・ブロックは、トラフィック・データを送るために利用される。
【００１５】
ＵＥは、ノードＢにＡＣＫ及び／又はＣＱＩ情報を送信するために制御セクションのリソース・ブロックを割り当てる。ＡＣＫ情報は、ＵＥにノードＢによって送られた各トランスポート・ブロックがＵＥによって正確に又は誤って復号されたかどうかを伝える。ＵＥによって送られるＡＣＫ情報の量は、ＵＥに送られたトランスポート・ブロックの数に依存する。１つの設計において、ＡＣＫ情報は、１つ或いは２つのトランスポート・ブロックがＵＥに送られるかどうかによって１つ或いは２つのＡＣＫビットを含む。他の設計において、ＡＣＫ情報は、より多くのＡＣＫビットを含んでもよい。
【００１６】
ＣＱＩ情報は、ノードＢに対してＵＥによって評価されたダウンリンク・チャネル品質を伝える。ＵＥによって送られたＣＱＩ情報の量は、ダウンリンク送信のために利用可能な空間チャネルの数、ダウンリンク・チャネル品質を報告するためのフォーマット、報告されたダウンリンク・チャネル品質の要求された精度（granularity）などのような様々な要素に依存する。１つの設計において、ＣＱＩ情報は、８、９又は１０ビットを含む。他の設計において、ＣＱＩ情報は、より少数又はより多くのビットを含んでもよい。
【００１７】
ＵＥは、制御セクションのリソース・ブロックにマッピングされたＰＵＣＣＨでＡＣＫ及び／又はＣＱＩ情報を送る。１つの設計において、２つのＰＵＣＣＨ構造がサポートされ、それは、ＡＣＫ構造及びＣＱＩ構造と呼ばれる。ＡＣＫ構造は、単にＡＣＫ情報を送るために使用される。ＣＱＩ構造は、ＣＱＩ情報のみ又はＡＣＫ及びＣＱＩ情報の両方を送るために利用される。ＡＣＫとＣＱＩ構造は、他の名前でも引用される。例えば、ＡＣＫ構造は、１つ或いは２つのＡＣＫビットが送られているかどうかに依存してＰＵＣＣＨフォーマット０或いは１としても参照される。ＣＱＩ構造は、ＰＵＣＣＨフォーマット２としても参照される。
【００１８】
図４は、各スロットが７つのシンボル周期を含む場合に関するＡＣＫ構造４００の設計を示している。各サブフレームにおいて、左スロットは、７つのシンボル周期０から６を含み、右スロットは、７つのシンボル周期７から１３を含む。１セットのＵＥは、リソース・ブロック・ペアでＡＣＫ情報を同時に送る。ここで、リソース・ブロック・ペアは、（ｉ）図４で示されるように、左スロットのトップ制御セクション内の１つのリソース・ブロック及び右スロットのボトム制御セクション内の１つのリソース・ブロック、又は（ｉｉ）（図４の斜線ハッシングとして示される）左スロットのボトム制御セクションの１つのリソース・ブロック及び右スロットのトップ制御セクション内の１つのリソース・ブロックのどちらかを含む。図４で示される設計において、ＡＣＫのための各リソース・ブロックは、データのために４つのシンボル周期を含み、パイロットのために３つのシンボル周期を含む。更に、ＡＣＫのためのデータ及びパイロットは、リソース・ブロック内で他の方法で送られてもよい。
【００１９】
図５は、各スロットが７つのシンボル周期を含む場合のＣＱＩ構造５００の設計を示している。図５に示される設計において、ＣＱＩのための各リソース・ブロックは、データ用に５つのシンボル周期を含み、パイロット用に２つのシンボル周期を含む。更に、ＣＱＩのためのデータ及びパイロットは、リソース・ブロック内で他の方法でも送られてもよい。
【００２０】
表１は、１つの設計に従ってＡＣＫ及びＣＱＩ構造のいくつかの特徴を一覧表にしたものである。
【表１】
2010529720.tif 000003
【００２１】
ＡＣＫ及びＣＱＩ情報は、様々な方法で送られる。１つの設計において、ＡＣＫ及びＣＱＩ情報は、よい相関特性を有した参照信号シーケンスを使用して送られる。異なるＵＥは、ベース・シーケンスで生成された異なる参照信号シーケンスを使用して同じリソース・ブロックでＡＣＫ及び／又はＣＱＩ情報を同時に送る。ベース・シーケンスは、シュウ（Chu）シーケンス、ザルドフ−シュウ（Zardoff-Chu）シーケンス、フランク（Frank）シーケンス、一般化されたチャープ−ライク（chirp-like（ＧＣＬ））シーケンスなどのＣＡＺＡＣ（一定な振幅ゼロ自動相関）である。更に、ベース・シーケンスは、良い相関特性を有するために定義されたシーケンスである。
【００２２】
１つの設計において、長さ６の参照信号シーケンスは、長さ１２のベース・シーケンスの６つの異なる周期シフトで生成される。一般的に、任意の数の参照信号シーケンスが生成される。１つの設計において、ＵＥは、サブフレームの全てのシンボル周期に対して単一の参照信号シーケンスを使用する。別の設計において、ＵＥは、サブフレームの異なるシンボル周期又は異なるスロットに対して異なる参照信号シーケンスを使用する。このホッピングは、干渉をランダム化する。
【００２３】
ＵＥは、様々な方法でＡＣＫ情報を送ることができる。１つの設計において、ＵＥは、ＢＰＳＫ又はＱＰＳＫそれぞれに基づいた変調シンボルｄ（０）にＡＣＫのための１ビット又は２ビットを最初にマッピングする。その後、ＵＥは、以下のように変調シンボルｄ（０）でＵＥに割り当てられた参照信号シーケンスｒ（ｎ）を変調する：
【数１】
2010529720.tif 000004
【００２４】
ここで、ｙ（ｎ）は、ＡＣＫのために変調されたシーケンスである。
【００２５】
その後、ＵＥは、以下のように変調されたシーケンスを拡散する：
【数２】
2010529720.tif 000005
【００２６】
ここで、ｗ（ｍ）は、ＡＣＫに対してＵＥに割り当てられた直交シーケンスであり、ｚｍ（ｎ）は、シンボル周期ｍに対するＡＣＫのためのデータ・シーケンスである。
【００２７】
４つの直交シーケンスがウォルシュ行列で定義され、ＵＥは、４つの直交シーケンスのうちの１つが割り当てられる。式（２）の中で示される設計において、ＵＥは、ＵＥによって割り当てられた直交シーケンスｗ（ｍ）の４つのシンボルｗ（０）からｗ（３）と変調シーケンスｙ（ｎ）をそれぞれ掛けることによって４つのデータ・シーケンスｚ（０）からｚ（ｎ）を生成する。その後、図４に示されるように、ＵＥは、左スロットの４つのシンボル周期０、１、５及び６の中の４つのデータ・シーケンスを送り、右スロットの４つのシンボル周期７、８、１２及び１３の４つのデータ・シーケンスも送る。
【００２８】
ＵＥは、様々な方法でＡＣＫに対してパイロットを送ってもよい。１つの設計において、ＵＥは、３×３の離散フーリエ変換（ＤＦＴ）行列に基づいて定義された３つの直交シーケンスｑ０（ｍ）、ｑ１（ｍ）、ｑ２（ｍ）のセットから選択された直交シーケンスｑ（ｍ）を割り当てられる。ＵＥは、３つのパイロット・シーケンスｐ０（ｎ）からｐ２（ｎ）それぞれを得るためにＵＥに割り当てられた直交シーケンスｑ（ｍ）の３つのシンボルｑ（０）からｑ（２）とその参照信号シーケンスｒ（ｎ）を拡散する。その後、図４に示されるように、ＵＥは、左スロットの３つのシンボル周期２、３及び４の中の３つのパイロット・シーケンスを送り、右スロットの３つのシンボル周期９、１０及び１１の中の３つのパイロット・シーケンスも送る。
【００２９】
１８個までのＵＥは、６つの参照信号シーケンス及び３つの直交シーケンスｑ０（ｍ）、ｑ１（ｍ）、ｑ２（ｍ）と共にＡＣＫのためのパイロットを同時に送る。２４個までのＵＥは、６つの参照信号シーケンス及び４つの直交シーケンスｗ０（ｍ）からｗ３（ｍ）と共にＡＣＫのためのデータを同時に送る。１つの設計において、１８つのＡＣＫチャネルは、６つの参照信号シーケンス、パイロットのための３つの直交シーケンス及びデータのための４つの直交シーケンスで定義される。ＡＣＫチャネルの数は、同時にパイロットを送ることができるＵＥの数によって制限される。各ＡＣＫチャネルは、特定参照信号シーケンスｒ（ｎ）、パイロットのための特定直交シーケンスｑ（ｍ）及びデータのための特定直交シーケンスｗ（ｍ）と関連づけられる。１８つまでのＵＥは、同じリソース・ブロック・ペアで１８つまでのＡＣＫチャネルでＡＣＫ情報を送る。これらのＵＥは、（ｉ）周波数ドメインの参照信号シーケンスの分離及び（ｉｉ）時間ドメインの直交シーケンスで拡散することによって識別される。
【００３０】
ＵＥは、様々な方法でＣＱＩ情報を送ってもよい。１つの設計において、ＵＥは、最初に２０の符号化ビットを得るためにＣＱＩに対して８から１０の情報ビットを符号化し、１０の変調シンボル、ｄ（０）からｄ（９）、にこれら２０の符号化ビットをマッピングする。その後、ＵＥは、以下のように各変調シンボルｄ（ｍ）でその参照信号シーケンスｒ（ｎ）を変調する：
【数３】
2010529720.tif 000006
【００３１】
ここで、ｃｍ（ｎ）は、シンボル周期ｍに対するＣＱＩのためのデータ・シーケンスである。ＵＥは、１０の変調シンボル、ｄ（０）からｄ（９）、に対して１０のデータ・シーケンス、ｃ０（ｎ）からｃ９（ｎ）、をそれぞれ生成する。ＵＥは、例えば、図５に示されたように、１つのリソース・ブロック・ペアのＣＱＩデータのために１０のシンボル周期内に１０のデータ・シーケンスを送る。
【００３２】
ＵＥは、様々な方法でＣＱＩのためにパイロットを送ってよい。１つの設計において、例えば、図５に示されるように、パイロット・シーケンスとして直接的にその参照信号シーケンスｒ（ｎ）を使用し、パイロットのために各シンボル周期のその参照信号シーケンスを送る。
【００３３】
１つの設計において、６つのＣＱＩチャネルは、６つの参照信号シーケンスで定義される。各ＣＱＩチャネルは、特定参照信号シーケンスｒ（ｎ）で関係付けられる。６個までのＵＥは、同じリソース・ブロック・ペアで６つまでのＣＱＩチャネル上でＣＱＩのためのデータ及びパイロットを同時に送る。これらのＵＥは、周波数ドメインの参照信号シーケンスの分離によって識別される。
【００３４】
１つの設計において、１スロットあたり６つのシンボル周期である場合、ＡＣＫのためのデータが４つのシンボル周期で送られ、ＡＣＫに対するパイロットが２つのシンボル周期で送られる。ＣＱＩのためのデータは、５つのシンボル周期で送られ、ＣＱＩのためのパイロットは、１つのシンボル周期で送られる。４つの参照信号シーケンスが定義される。４つのＣＱＩチャネル又は８つのＡＣＫチャネルは、１つのリソース・ブロック・ペアでサポートされる。
【００３５】
一般的に、ＡＣＫチャネルの数とＣＱＩチャネルの数は、１スロットあたりのシンボル周期の数、データのためのシンボル周期の数、パイロットのためのシンボル周期の数、参照信号シーケンスの数などのような様々な因子に依存する。明確化のために、以下の説明は、図４、５及び表１で示された設計であると仮定する
１８までのＡＣＫチャネルは、例えば、図４で示されるように、同じリソース・ブロック・ペアで送られる。６つまでのＣＱＩチャネルは、例えば、図５で示されるように、同じリソース・ブロック・ペアで送られる。更に、ＡＣＫとＣＱＩチャネルは、同じリソース・ブロック・ペアで多重化される。利用可能な参照信号シーケンスの各々は、ＡＣＫ又はＣＱＩのいずれかのために使用される。３つのＡＣＫチャネル又は１つのＣＱＩチャネルが各参照信号シーケンスでサポートされる。参照信号シーケンスは、周波数ドメインの別の参照信号シーケンスと直交する。従って、同じリソース・ブロックでＡＣＫ及びＣＱＩチャネルを多重化する場合、ＣＱＩのためのパイロットは、ＡＣＫのためのデータとオーバーラップし、ＡＣＫのためのパイロットは、ＣＱＩのためのデータとオーバーラップする。表２は、多重化したＡＣＫ及びＣＱＩチャネルに対する７つの構造を一覧表にし、各構造に対してＡＣＫチャネルの数及びＣＱＩチャネルの数を与えている。
【表２】
2010529720.tif 000007
【００３６】
１つの設計において、ＡＣＫリソースは、暗にＵＥに割り当てられる。与えられたＵＥに割り当てられたＡＣＫリソースは、ＡＣＫのために使用されたリソース・ブロック、参照信号シーケンスｒ（ｎ）、データのための直交シーケンスｗ（ｍ）及びパイロットのための直交シーケンスｑ（ｍ）を含む。図２に示されるように、ノードＢは、ＵＥにＰＤＣＣＨで制御情報を送る。異なるＰＤＣＣＨリソース（又はインデックス）は、異なるＡＣＫリソースにマッピングされる。ＵＥは、ＵＥに制御情報を送るために使用されたＰＤＣＣＨリソースに基づいたＵＥに割り当てられたＡＣＫリソースを確認する。１つの設計において、ＣＱＩリソースは、ＵＥに明示的に割り当てられ、ＵＥに信号を送る。更に、ＡＣＫとＣＱＩのリソースは、他の方法で割り当てられてもよい。
【００３７】
ＡＣＫチャネルは、ある性能要求及びある受信信号品質要求を有する。同様に、ＣＱＩチャネルは、ある性能要求及びある受信信号品質要求を有する。性能要求は、ターゲット・ブロック誤り率（ＢＬＥＲ）、ターゲット・ビット誤り率（ＢＥＲ）、ターゲット・パケット誤り率（ＰＥＲ）、ターゲット抹消レートなどによって与えられる。受信信号品質要求は、ターゲットＳＮＲ、ターゲット電力スペクトル密度（ＰＳＤ）、ターゲット受信信号レベルなどによって与えられる。ＰＳＤ及び受信信号レベルは、ノードＢでＡＣＫ又はＣＱＩチャネルの受信電力を示す。ＳＮＲは、ノードＢでの受信電力とノイズとの比である。ＳＮＲ及びＰＳＤは、ノイズが共通又は既知である場合、等しくなる。ＳＮＲは、シンボル毎のエネルギーとノイズの比（Ｅｓ／Ｎｏ）、ビット毎のエネルギーと合計ノイズとの比（Ｅｂ／Ｎｔ）などで与えられる。
【００３８】
異なるＵＥからのＡＣＫチャネルが同じリソース・ブロックで多重化される場合、各ＡＣＫチャネルの送信電力は、ＡＣＫに対するターゲットＳＮＲを達成するために電力制御で調整される。このターゲットＳＮＲは、ＡＣＫに対するターゲットＢＬＥＲを得るために選択される。同様に、異なるＵＥからのＣＱＩチャネルが同じリソース・ブロックで多重化される場合、各ＣＱＩチャネルの送信電力は、ＣＱＩに対してターゲットＳＮＲを達成するために電力制御で調整される。このターゲットＳＮＲは、ＣＱＩのためのターゲットＢＬＥＲを得るために選択される。同じリソース・ブロックで多重化されるＡＣＫ又はＣＱＩチャネルの間の直交性は、以下の条件に基づいて維持される。：
・無線チャネルの遅延時間の広がりは、参照信号シーケンスの時間−ドメイン周期シフトよりも小さく、
・電力制御は、共に多重化されたＡＣＫ又はＣＱＩチャネルのために受信されたＳＮＲと同じ程度長期間維持されるべきであり、
・無線チャネルのコヒーレンス時間は、ＡＣＫチャネルのためのウォルシュ展開より長くなるべきである。
【００３９】
例えば、長さ４の直交シーケンスは１２０ｋｍ／ｈ未満の速度対して使用され、長さ２の直交シーケンスは、３５０ｋｍ／ｈのような高速度に対して使用される。
【００４０】
コンピュータ・シミュレーションは、ＡＣＫチャネルの性能が正確な電力制御に大きく依存することを示している。異なるＵＥからのＡＣＫチャネルが異なる長期受信（long-term received）ＳＮＲを有する場合、これらのＡＣＫチャネルの性能は、大きく変わり、幾つかのＡＣＫチャネルの性能は、要求を満たさなくなる。シミュレーション結果は、電力制御がこれらＡＣＫチャネルに対してよい性能を達成するために同じリソース・ブロックで多重化された異なるＡＣＫチャネルに対して同様の長期受信ＳＮＲを維持すべきであることを示している。同様に、電力制御は、これらＣＱＩチャネルに対してよい性能を達成するために同じリソース・ブロック上で多重化された異なるＣＱＩチャネルに対して同様の長期受信ＳＮＲを維持すべきである。
【００４１】
異なるＵＥからのＡＣＫとＣＱＩのチャネルは、例えば、表２の配列１から５で示されるように、同じリソース・ブロックで共に多重化される。電力制御は、そのターゲットＳＮＲで各ＡＣＫチャネルを維持し、そのターゲットＳＮＲで各ＣＱＩチャネルを維持することを試みる。しかしながら、設計された電力制御処理でさえ、ＡＣＫとＣＱＩのチャネルの総合的な性能は、以下の理由のため、まだ難点がある。ＡＣＫとＣＱＩチャネルは、異なるターゲットＳＮＲを有する。その時、電力制御は、ＡＣＫとＣＱＩチャネルのためにＰＳＤの差を導く。このＰＳＤの差は、その後のＡＣＫとＣＱＩチャネルとの間の相互干渉に帰着し、且つ性能ロスを導くＡＣＫとＣＱＩチャネルとの間の直交性を低下させる。
【００４２】
様々なスキームは、同じリソース・ブロックでＡＣＫとＣＱＩチャネルの多重化することによる性能低下に取り組むために使用される。１つのスキームにおいて、異なるＵＥからのＡＣＫとＣＱＩチャネルは、異なるリソース・ブロックで送られ、共に多重化さない。ＡＣＫリソースは、ＰＤＣＣＨリソースに暗にマッピングされる。その後、ノードＢは、ＡＣＫチャネルのみがともに多重化されるようにＵＥにＰＤＣＣＨで制御情報を送る。ノードＢは、ＣＱＩチャネルがＡＣＫチャネルで多重化されないようにＵＥにＣＱＩリソースを割り当てる。ＡＣＫチャネルの送信電力及びＣＱＩチャネルの送信電力は、ＡＣＫとＣＱＩに対する要求性能を達成するために別々に制御された電力である。このスキームは、ノードＢのためにスケジューラの処理を抑制する。
【００４３】
１つの面において、異なるＵＥからのＡＣＫとＣＱＩチャネルは、同じリソース・ブロックでともに多重化される。これは、ノードＢがＡＣＫチャネルだけでともに多重化されることの保証を必要とせずにＵＥにＰＤＣＣＨで制御情報を自由に送ることを可能にする。ＡＣＫチャネルに対するターゲットＢＬＥＲ及びターゲットＳＮＲは、ＣＱＩチャネルに対するターゲットＢＬＥＲ及びターゲットＳＮＲと異なる。例えば、ＡＣＫチャネルは、約２．８ｄＢのアンテナごとに０．１％のターゲットＢＬＥＲ及び１つのターゲットＳＮＲを有する。対照的に、ＣＱＩチャネルは、約７ｄＢのアンテナごとに１％のターゲットＢＬＥＲ及び１つのターゲットＳＮＲを有する。ＡＣＫ及びＣＱＩチャネルがそれらのターゲットＳＮＲを達成するように別々に電力制御された場合、その後、ＡＣＫチャネルの性能は、上記で記載された理由のために著しく低下する。ＡＣＫ性能の低下は、様々な方法で軽減してもよい。
【００４４】
１つの設計において、ＣＱＩチャネルの送信電力は、（ｉ）ＣＱＩチャネルがＡＣＫチャネルと多重化されない場合、
【数４】
2010529720.tif 000008
【００４５】
の通常のターゲットＳＮＲを達成するためにセットされ、（ｉｉ）ＣＱＩチャネルがＡＣＫチャネルと多重化される場合、
【数５】
2010529720.tif 000009
【００４６】
のより低いターゲットＳＮＲを達成するために低減又はバック・オフされる。
【数６】
2010529720.tif 000010
【００４７】
は、Ｘデシベル（ｄＢ）だけ
【数７】
2010529720.tif 000011
【００４８】
より低い。ここで、Ｘは、バックオフ因子であり、あらかじめ決められた量である。この設計において、ＣＱＩチャネルは、同じリソース・ブロックでＡＣＫチャネルと多重化されない場合、ＣＱＩチャネルの送信電力は、ＣＱＩに対するターゲットＢＬＥＲを達成するために通常の方法で調節される。ＣＱＩチャネルが同じリソース・ブロックでＡＣＫチャネルと多重化される場合、ＣＱＩチャネルの送信電力は、ＡＣＫチャネルに対してよい性能を維持するために通常の値からＸｄＢのバックオフ因子によって低減される。
【００４９】
別の設計において、ＡＣＫチャネルの送信電力は、（ｉ）ＡＣＫチャネルがＣＱＩチャネルと多重化されない場合、
【数８】
2010529720.tif 000012
【００５０】
の通常ターゲットＳＮＲを達成するために設定され、（ｉｉ）ＡＣＫチャネルがＣＱＩチャネルと多重化される場合、
【数９】
2010529720.tif 000013
【００５１】
より高いターゲットＳＮＲを達成するためにブーストされる。
【数１０】
2010529720.tif 000014
【００５２】
は、ＹｄＢだけ
【数１１】
2010529720.tif 000015
【００５３】
より高い。ここで、Ｙは、ブースト因子であり、あらかじめ決められた量である。この設計において、ＡＣＫチャネルが同じリソース・ブロックでＣＱＩチャネルと多重化されない場合、ＡＣＫチャネルの送信電力は、ＡＣＫに対してターゲットＢＬＥＲを達成するために通常の方法で調節される。ＡＣＫチャネルが同じリソース・ブロック上のＣＱＩチャネルと多重化される場合、ＡＣＫチャネルの送信電力は、ＡＣＫチャネルに対して良い性能を維持するために通常の値からＹｄＢのブースト因子によって増加される。
【００５４】
また別の設計において、ＣＱＩチャネル及びＡＣＫチャネルが共に多重化される場合、ＣＱＩチャネルのためのバックオフ及びＣＱＩチャネルのためのブーストの組み合わせが使用される。ＣＱＩチャネルの送信電力は、ＣＱＩに対して通常値からＸｄＢのバックオフ因子によって低減される。ＡＣＫチャネルの送信電力は、ＡＣＫに対して通常値からＹｄＢのブースト因子によって増加される。
【００５５】
バックオフ因子及び／又はブースト因子は、ＡＣＫの性能とＣＱＩの性能との間のトレードオフに基づいて選択される。一般的に、より大きなバックオフ因子及び／又はより大きなブースト因子は、ＣＱＩの性能の犠牲でＡＣＫの性能が改善するし、また、逆も同様である。１つの設計において、バックオフ因子及び／又はブースト因子は、ＡＣＫとＣＱＩチャネルが同じリソース・ブロックで多重化される時はいつでも使用される固定された値である。別の設計において、バックオフ因子及び／又はブースト因子は、多重化されたＣＱＩチャネルの数及びＡＣＫチャネルの数、ＡＣＫチャネルに対して通常のターゲットＳＮＲ、ＣＱＩチャネルに対する通常のターゲットＳＮＲなどのような一つ以上のパラメータに依存する。
【００５６】
ＵＥからの指定された送信（例えば、パイロットチャネル又はＣＱＩチャネル）の送信電力は、この送信に対して受信されるＳＮＲをターゲットＳＮＲで維持するために電力制御で調節される。ＵＥからの別の送信（例えば、ＡＣＫチャネル）の送信電力は、指定された送信の送信電力よりもΔｄＢ高く又は低く設定される。１つの設計において、信号（例えば、１ビットを示す）は、そのＣＱＩチャネルが他のＵＥからのＡＣＫチャネルと多重化されているかどうかを示すためにＵＥに送られる。別の設計において、信号は、ＡＣＫチャネルが他のＵＥからＣＱＩチャネルと多重化されるかどうかを示すためにＵＥに送られる。任意の場合において、信号が他のＵＥからのＡＣＫチャネル（又はＣＱＩチャネル）とＣＱＩチャネル（又はＡＣＫチャネル）が多重化することを示す場合、ＵＥは、ＣＱＩチャネルに対してバックオフ因子及び／又はＡＣＫチャネルに対してブースト因子を適用する。信号は、周期的に送られる又は多重化状態が変化した場合にのみ送られる。
【００５７】
ＣＱＩチャネル及びＡＣＫチャネルが共に多重化される場合、ＣＱＩチャネルに対してより低いターゲットＳＮＲ及び／又はＡＣＫチャネルに対してより高いターゲットＳＮＲを使用することは、ＣＱＩの性能を低減させる。様々な技術は、ＡＣＫとＣＱＩチャネルの多重化のためにＣＱＩの性能に対する影響を緩和するために使用される。１つの設計において、ＵＥからのＣＱＩチャネルがランダムにホップするため、ＣＱＩチャネルは、ＡＣＫチャネルで常に多重化されない。従って、ＣＱＩチャネルは、より高いＢＬＥＲを受ける。ランダム・ホッピングは、異なるサブフレーム、異なるスロット又はシンボル周期内の異なる参照信号シーケンスなどのＣＱＩに対する異なるリソース・ブロックでＵＥを割り当てることによって達成される。異なる参照信号シーケンスは、ノードＢに割り当てられた同じベース・シーケンス又は異なるベース・シーケンスから導かれる。ランダム・ホッピングは、ＣＱＩチャネルが（ｉ）ある時間においてＡＣＫチャネルと多重化され、別のある時間においてＣＱＩチャネルのみで多重化され、及び／又は（ｉｉ）異なるサブフレームの異なるＵＥからのＡＣＫチャネルと多重化される結果である。与えられた周期シフトの参照信号シーケンを割り当てられたＵＥは、隣接した周期シフトと参照信号シーケンスが割り当てられたＵＥからより干渉する傾向がある。ＡＣＫとＣＱＩチャネルは、干渉を低減するために隣接していない周期シフトと参照信号シーケンスが割り当てられる。
【００５８】
別の設計において、ＡＣＫチャネルとの多重化によるＣＱＩより高いＢＬＥＲを考慮するために、ＣＱＩチャネルがＡＣＫチャネルと多重化される場合に、ノードＢは、ＣＱＩチャネルに対して消去検知を実行する。消去検知に対して、ノードＢは、ＵＥからＣＱＩチャネルでＣＱＩレポートを受信し、ＣＱＩチャネルが十分に信頼できる場合、レポートを使用し、そうでなければレポートを破棄する。消去検知の１つの設計において、ノードＢは、ＵＥからＣＱチャネルで受信した符号語に関するメトリックを計算する。このメトリックは、ＣＱＩチャネルで送ることができる符号語各々と受信した符号語との間の相関に基づく。ノードＢは、２つの最良の相関結果との間の差を計算し、閾値に対してこの差を比較する。差が閾値よりも大きい場合、ノードＢは、受信したＣＱＩレポートを使用する。差が閾値よりも小さい場合、ノードＢは、受信したレポートを破棄し、以前のＣＱＩレポート又は平均ＣＱＩを使用する。更に、ノードＢは、別の方法、例えば、別のメトリックで消去検知を実施してもよい。
【００５９】
また別の設計において、ＡＣＫ及びＣＱＩチャネルが共に多重化される場合、ノードＢは、干渉消去を備えた検知を実行する。ＡＣＫチャネルの送信電力が通常値からブーストされる及び／又はＣＱＩチャネルの送信電力が通常値から低減される場合、ＣＱＩチャネルの信頼性は、通常より悪い。この場合において、ノードＢは、最初にＡＣＫチャネルを検知し、その後、ＡＣＫチャネルによって干渉を推定し、消去し、次に、ＣＱＩチャネルを検知する。これらのチャネルがともに多重化される場合、もし、ＡＣＫとＣＱＩチャネルの送信電力が通常値で維持されるならば、ＡＣＫチャネルの信頼性は、通常より悪くなる。この場合において、ノードＢは、最初にＣＱＩチャネルを検知し、その後、ＣＱＩチャネルによって干渉を推定し、消去し、次に、ＡＣＫチャネルを検知する。一般的に、ノードＢは、最初より信頼できる制御チャネルを検知し、その後、検知された制御チャネルによって干渉を推定し、消去し、次に、あまり信頼性のない制御チャネルを検知する。
【００６０】
ここに記載された技術は、可能な時間・周波数リソースの利用を改善するために同じリソース・ブロックで異なるＵＥからのＡＣＫとＣＱＩチャネルを多重化することを許容する。ＡＣＫとＣＱＩチャネルがＡＣＫとＣＱＩチャネルとの間のＰＳＤの違いを考慮に入れ、ＡＣＫ性能に対する衝撃を低減するために共に多重化される場合、ＡＣＫ及び／又はＣＱＩチャネルに対する電力制御は、一緒に最適化される。ＡＣＫチャネル及びＣＱＩチャネルが共に多重化される場合、ランダム・ホッピング、消去検知及び干渉除去のような技術は、ＣＱＩ性能に対する影響を緩和するために使用される。
【００６１】
このＡＣＫチャネルが他のＵＥからのＡＣＫチャネルだけで多重化される場合でさえ、異なる送信電力レベルは、ＵＥからのＡＣＫチャネルに対して使用される。１つの設計において、異なる送信電力レベルは、ＡＣＫ及びＮＡＫに対する異なるＢＬＥＲを達成するためにＡＣＫ及びＮＡＫに対して使用される。送信されたＡＣＫがＮＡＫとして検出されるＡＣＫからＮＡＫへの誤りは、既にＵＥによって正確に復号されたトランスポート・ブロックの余分な送信となる。送信されたＮＡＫがＡＣＫとして検出されるＮＡＫからＡＣＫへの誤りは、結果としてＵＥによって誤って復号されたトランスポート・ブロックの終了をまねく。従って、ＮＡＫからＡＣＫへの誤りは、ＡＣＫからＮＡＫへの誤りより破滅的である。ＮＡＫに対する送信電力は、より低いＮＡＫからＡＣＫへの誤りレートを得るためにＡＣＫに対してより高い送信電力を設定する。
【００６２】
別の設計において、異なる送信電力レベルは、送られているＡＣＫビットの数に依存してＡＣＫチャネルに対して使用される。シングル−インプット・マルチプル−アウトプット（ＳＩＭＯ）ＵＥは、ＢＰＳＫを備えた１ＡＣＫビットを送る、一方、マルチプル−インプット・マルチプル−アウトプット（ＭＩＭＯ）ＵＥは、ＱＰＳＫを備えた２ＡＣＫビットを送る。２ＡＣＫビットを運ぶＡＣＫチャネルは、１ＡＣＫビットを運ぶＡＣＫチャネルより高いターゲットＳＮＲを有する。異なる送信電力レベルは、同じリソース・ブロック上で共に多重化されたＳＩＭＯとＭＩＭＯのからのＡＣＫチャネルに対して使用される。ＭＩＭＯのＵＥからのＡＣＫチャネルの送信電力は、より高いターゲットＳＮＲを達成するためにより高く設定され、ＳＩＭＯのＵＥからのＡＣＫチャネルの送信電力は、より低いターゲットＳＮＲのためにより低く設定される。
【００６３】
また別の設計において、異なる送信電力レベルは、送られている情報ビットの数に依存してＣＱＩチャネルに対して使用される。１０情報ビットを運ぶ場合、ＣＱＩチャネルは、より高いターゲットＳＮＲを有し、８情報ビットを運ぶ場合、より低いターゲットＳＮＲを有する。異なる送信電力レベルは、異なる情報ビットの数のターゲットＳＮＲを満たすためにＣＱＩチャネルに対して使用される。
【００６４】
図６は、無線通信システムの制御情報を送信するためのプロセス６００の設計を示している。プロセス６００は、ＵＥ又は他のあるエンティティによって実行される。第１の制御チャネルが他のＵＥからの第２の制御チャネルと多重化されない場合、ＵＥは、第１の電力レベルで第１の制御チャネルを送る（ブロック６１２）。第１の制御チャネルが他のＵＥからの第２の制御チャネルと多重化される場合、ＵＥは、第１の送信電力と異なる第２の送信電力で第１の制御チャネルを送る（ブロック６１４）。第１及び第２の制御チャネルは、異なるターゲットＳＮＲを有するため、共に多重化される場合、異なる受信単一レベルを有する。拡散は、第１の制御チャネルに対して使用され、第２の制御チャネルに対して使用されない。そして、その逆も同様である。
【００６５】
１つの設計において、第１の制御チャネルは、ＣＱＩチャネルを含み、第２の制御チャネルは、ＡＣＫチャネルを含み、第２の送信電力レベルは、第１の送信電力レベルより低い。ＣＱＩチャネルが他のＵＥからのＡＣＫチャネルと多重化されない場合、第１の送信電力レベルは、ＣＱＩチャネルに対する第１のターゲットＳＮＲを達成する。他のＵＥからのＡＣＫと多重化される場合、第２の送信電力レベルは、ＣＱＩチャネルに対する第２のターゲットＳＮＲを達成する。第２のターゲットＳＮＲは、第１のターゲットＳＮＲより低い。
【００６６】
別の設計において、第１の制御チャネルは、ＡＣＫチャネルを含み、第２の制御チャネルは、ＣＱＩチャネルを含み、第２の送信電力レベルは、第１の送信電力レベルより高い。ＡＣＫチャネルが他のＵＥからのＣＱＩチャネルと多重化されない場合、第１の送信電力レベルは、ＡＣＫチャネルに対する第１のターゲットＳＮＲを達成する。他のＵＥからのＣＱＩチャネルと多重化される場合、第２の送信電力レベルは、ＡＣＫチャネルに対する第２のターゲットＳＮＲを達成する。第２のターゲットＳＮＲは、第１のターゲットＳＮＲより高い。
【００６７】
また別の設計において、第１の制御チャネルは、第１のビット数を運ぶＡＣＫチャネルを含む。第２の制御チャネルは、第１のビット数と異なる第２のビット数を運ぶＡＣＫチャネルを含む。更に、第１及び第２の制御チャネルは、制御チャネルの他のタイプも含む。
【００６８】
ＵＥは、電力制御に基づいてその送信電力を調節する。ＵＥは、第１の又は第２の電力オフセットに基づいて第１又は第２の送信電力レベルをそれぞれ決定し、ＵＥの調節された送信電力を決定する。ＵＥは、第１の制御チャネルが他のＵＥからの第２の制御チャネルで多重化されるかどうかを示す信号を受信する。その後、ＵＥは、信号に基づいて第１の制御チャネルのための第１又は第２の送信電力レベルを選択する。第１の制御チャネルは、他のＵＥからの第２の制御チャネルと第１の制御チャネルの多重化をランダム化するためにホップする。
【００６９】
図７は、無線通信システムの送信制御情報に対して装置７００の設計を示している。第１の制御チャネルが他のＵＥからの第２の制御チャネルと多重化されない場合、装置７００は、第１の送信電力レベルで第１の制御チャネルを送信するためのモジュール７１２を含み、第１の制御チャネルが他のＵＥからの第２の制御チャネルと多重化される場合、装置７００は、第１の送信電力レベルと異なる第２の送信電力レベルで第１の制御チャネルを送信するためのモジュール７１４を含む。
【００７０】
図８は、無線通信システムの制御情報を送信するプロセス８００の設計を示している。プロセス８００は、ＵＥ又は他のあるエンティティによって実行される。ＵＥは、参照信号シーケンスに基づいてＣＱＩチャネルに関するマルチプル・データ・シーケンスを生成する（ブロック８１２）。ＣＱＩチャネルが他のＵＥからのＡＣＫチャネルと多重化されない場合、ＵＥは、第１の送信電力レベルでＣＱＩチャネルを送信する（ブロック８１４）。ＣＱＩチャネルが他のＵＥからのＡＣＫチャネルと多重化される場合、ＵＥは、第１の送信電力レベルより低い第２の送信電力レベルでＣＱＩチャネルを送信する（ブロック８１６）。他のＵＥからのＡＣＫチャネルに対するデータ・シーケンスは、少なくとも１つの参照信号で生成され、直交シーケンスで拡散する。ＣＱＩチャネルに対する参照信号シーケンス及びＡＣＫチャネルに対する少なくとも一つの他の参照信号シーケンスは、ベース・シーケンスの異なる周期シフトに対応する。ＵＥは、リソース・ブロックのマルチプル・シンボル周期のＣＱＩチャネルに対してマルチプル・データ・シーケンスを送る。他のＵＥからのＡＣＫチャネルに対するデータ・シーケンスは、同じリソース・ブロックで送られる。
【００７１】
図９は、無線通信システムの制御情報を送信するための装置９００の設計を示している。装置９００は、参照信号シーケンスに基づいてＣＱＩチャネルに関するマルチプル・データ・シーケンスを生成するためのモジュール９１２を含み、ＣＱＩチャネルが他のＵＥからのＡＣＫチャネルと多重化されない場合、第１の送信電力レベルでＣＱＩチャネルを送るためのモジュール９１４を含み、ＣＱＩチャネルが他のＵＥからのＡＣＫチャネルと多重化される場合、第１の送信電力レベルより低い第２の送信電力レベルでＣＱＩチャネルを送るためのモジュール９１６を含む。
【００７２】
図１０は、無線通信システムの制御情報を受信するためのプロセス１０００の設計を示している。プロセス１０００は、ノードＢ又は他のあるエンティティによって実行される。第１の制御チャネルが他のＵＥからの第２の制御チャネルと多重化されない場合、ノードＢは、第１の受信ＳＮＲでＵＥからの第１の制御チャネルを受信する（ブロック１０１２）。第１の制御チャネルが他のＵＥからの第２の制御チャネルと多重化される場合、ノードＢは、第１の受信ＳＮＲと異なる第２の受信ＳＮＲで第１の制御チャネルを受信する（ブロック１０１４）。１つの設計において、これらの制御チャネルが共に多重化される場合、ノードＢは、干渉除去を備えた第１及び第２の制御チャネルに対して検知を実行する。
【００７３】
１つの設計において、第１の制御チャネルは、ＣＱＩチャネルを含み、第２の制御チャネルは、ＡＣＫチャネルを含み、第２の受信ＳＮＲは、第１の受信ＳＮＲより低い。ＡＣＫチャネルと多重化される場合、ノードＢは、ＣＱＩチャネルに対して消去検知を実行し、ＡＣＫチャネルと多重化されない場合、ＣＱＩチャネルに対する消去検知をスキップする。消去検知に対して、ノードＢは、ＣＱＩチャネルがメトリックに基づいて信頼性があるかどうかを決定し、信頼性があると判断された場合、ＣＱＩチャネルから受信したＣＱＩレポートを使用し、そうでなければ、ＣＱＩレポートを放棄する。別の設計において、第１の制御チャネルは、ＡＣＫチャネルを含み、第２の制御チャネルは、ＣＱＩチャネルを含み、第２の受信ＳＮＲは、第１の受信ＳＮＲより高い。
【００７４】
図１１は、無線通信システムの制御情報を受信するための装置１１００の設計を示している。第１の制御チャネルが他のＵＥからの第２の制御チャネルと多重化されない場合、装置１１００は、第１の受信ＳＮＲでＵＥからの第１の制御チャネルを受信するためのモジュール１１１２を含み、第１の制御チャネルが他のＵＥからの第２の制御チャネルと多重化される場合、装置１１００は、第１の受信ＳＮＲと異なる第２の受信ＳＮＲで第１の制御チャネルを受信するためのモジュール１１１４含む。
【００７５】
図７、９及び１１のモジュールは、プロセッサ、電子デバイス、ハードウェア・デバイス、電子部品、論理回路、メモリなど、あるいはそれらの任意の組み合わせを含む。
【００７６】
図１２は、図１の中のノードＢの１つ及びＵＥの１つであるノードＢ１１０及びＵＥ１２０の設計のブロック図を示している。この設計において、ＵＥ１２０は、１２３２ａから１２３２ｔまでのＴ個のアンテナを備え、ノードＢ１１０は、１２５２ａから１２５２ｒまでのＲ個のアンテナを備える。ここで、Ｔ及びＲは、一般的に、Ｔ≧１かつＲ≧１である。
【００７７】
ＵＥ１２０において、送信プロセッサ１２２０は、データ・ソース１２１２からトラフィック・データを受信し、トラフィック・データ（例えば、符号化及びシンボル・マッピング）を処理し、データ・シンボルを供給する。更に、送信プロセッサ１２２０は、コントローラ／プロセッサ１２４０から制御情報（例えば、ＡＣＫ及び／又はＣＱＩ情報）も受信し、上記で説明されたように制御情報を処理し、（例えば、データ・シーケンスのための）制御シンボルを供給する。更に、送信プロセッサ１２２０は、（例えば、パイロット・シーケンスのための）パイロットシンボルも生成し、データ・シンボル及び制御シンボルでパイロットシンボルを多重化する。ＭＩＭＯプロセッサ１２２２は、送信プロセッサ１２２０からのシンボルを処理（例えば、プレコード）し、１２３０ａから１２３０ｔのＴ個の変調器（ＭＯＤ）にＴ個のシンボル・ストリームを供給する。ＵＥ１２０が単一のアンテナを備えている場合、ＭＩＭＯプロセッサ１２２２は、除外される。各変調器１２３０は、出力サンプル・ストリームを得るために（例えば、ＳＣ−ＦＤＭＡに対して）出力シンボル・ストリームを処理する。各変調器１２３０は、アップリンク信号を生成するために出力サンプル・ストリームを更に進んだ状態にする（例えば、アナログに切り替え、フィルターを通し、増幅し、アップコンバートする）。１２３０ａから１２３０ｔの変調器からのＴ個のアップリンク信号は、１２３２ａから１２３２ｔのＴ個のアンテナを経由して送信される。
【００７８】
ノードＢ１１０において、１２５２ａから１２５２ｒのアンテナは、ＵＥ１２０及び／又は他のＵＥからのアップリンク信号を受信する。各アンテナ１２５２は、それぞれの復調器（ＤＥＭＯＤ）１２５４に受信信号を供給する。各復調器１２５４は、サンプルを得るためにその受信信号を適当な状態にし（例えば、フィルターを通過させ、増幅し、ダウンコンバートし、デジタル化する）、受信シンボルを得るために（例えば、ＳＣ−ＦＤＭＡのために）サンプルを更に処理する。ＭＩＭＯ検出器１２５６は、１２５４ａから１２５４ｒまでの全ての復調器からの受信シンボルでＭＩＭＯ検出を実行し、検出シンボルを供給する。受信プロセッサ１２６０は、検出シンボルを処理し（例えば、復調し、復号する）、データ・シンクに復号されたトラフィック・データを供給し、コントローラ／プロセッサ１２７０に復号された制御情報を供給する。一般的に、ＭＩＭＯ検出器１２５６及び受信プロセッサ１２６０による処理は、ＵＥ１２０でＭＩＭＯプロセッサ１２２２及び送信プロセッサ１２２０それぞれによって処理するための相補的なものである。
【００７９】
ノードＢ１１０は、ＵＥ１２０にダウンリンク上でトラフィック・データ及び／又は制御情報を送信する。データ・ソース１２７８からのトラフィック・データ及び／又はコントローラ／プロセッサ１２７０からの制御情報は、Ｒ出力シンボル・ストリームを得るために送信プロセッサ１２８０によって処理され、更に、ＭＩＭＯプロセッサ１２８２によって処理される。１２５４ａから１２５４ｒまでのＲ個の変調器は、Ｒ個の出力サンプル・ストリームを得るために（例えば、ＯＦＤＭのための）Ｒ個の出力シンボル・ストリームを処理し、１２５２ａから１２５２ｒのＲ個のアンテナを経由して送信されるＲ個のダウンリンク信号を得るために出力サンプル・ストリームを更に調整する。ＵＥ１２０において、ノードＢ１１０からのダウンリンク信号は、１２３２ａから１２３２ｔのアンテナによって受信され、１２３０ａから１２３０ｔの復調器によって調整され、処理され、更に、トラフィック・データを回復するために（もし、適用できるなら）ＭＩＭＯ検出器１２３６及び受信プロセッサ１２３８によって処理され、そして、制御情報がＵＥ１２０に送られる。受信プロセッサ１２３８は、データ・シンク１２３９にトラフィック・データを供給し、コントローラ／プロセッサ１２４０に制御情報を供給する。
【００８０】
コントローラ／プロセッサ１２４０及び１２７０は、ＵＥ１２０及びノードＢ１１０それぞれで動作を指揮する。コントローラ／プロセッサ１２４０は、図６のプロセス６００、図８のプロセス８００及び／又はここで記載された技術に関する他のプロセスを実行し、指揮する。コントローラ／プロセッサ１２７０は、図１０のプロセス１０００及び／又はここに記載された技術に関するプロセスを実行し、指揮する。メモリ１２４２及び１２７２は、ＵＥ１２０及びノードＢ１１０それぞれのデータ及びプログラムを格納する。スケジューラ１２７４は、ダウンリンク及び／又はアップリンク上のデータ送信のＵＥをスケジュールし、スケジュールされたＵＥにリソースを割り当てる。更にスケジューラ１２７４は、ＡＣＫ及びＣＱＩ情報の送信に対してＵＥにＡＣＫ及びＣＱＩリソースを明示的に及び／又は暗黙的に割り当てる。ＡＣＫ及びＣＱＩリソースは、リソース・ブロック、参照信号シーケンス、パイロットのための直交シーケンス、データのための直交シーケンスなどを含む。
【００８１】
当業者は、情報及び信号が様々な任意の異なる技術及び技法を使用して表現されることを理解できるだろう。例えば、上記の説明を通して参照されたデータ、命令、コマンド、情報、信号、ビット、シンボル及びチップは、電圧、電流、電磁波、磁界又は粒子、光場又は粒子、或いはこれらの組み合わせによって表される。
【００８２】
更に、当業者は、本開示に関連して説明された様々な実例の論理ブロック、モジュール、回路及びアルゴリズム・ステップが電子ハードウェア、コンピュータ・ソフトウェア、或いは両方の組み合わせとして実施されうることを認識するだろう。このハードウェア及びソフトウェアの互換性を明確に説明するために、様々な実例となるコンポーネント、ブロック、モジュール、回路及びステップは、全般的に上記でこれらの機能性の点から説明されている。このような機能性がハードウェアまたはソフトウェアとして実施されるかどうかは、全体のシステム上での特定の利用及び課された設計の制約に依存する。熟練した職人は、各特定の利用のために変化した方法で説明された機能性を実施するかもしれないが、このような実施は、本開示の範囲から逸脱する理由として解釈されるべきではない。
【００８３】
この開示に関連して説明された様々な実例の論理ブロック、モジュール、及び回路は、汎用プロセッサ、デジタル信号プロセッサ（ＤＳＰ）、特定用途の集積回路（ＡＳＩＣ）、フィールド・プログラマブル・ゲート・アレイ（ＦＰＧＡ）又は他のプログラム可能な論理デバイス、ディスクリート・ゲート又はトランジスタ・ロジック、分離したハードウェア・コンポーネント、ここで説明された機能を実施するため設計されたこれらの任意の組み合わせで実施され又は実行される。汎用プロセッサは、マイクロプロセッサでもよいが代案において、プロセッサは、任意の従来のプロセッサ、コントローラ、マイクロコントローラ或いはステート・マシーンでもよい。更に、プロセッサは、コンピューティングデバイスの組み合わせ、例えば、ＤＳＰとマイクロプロセッサ、複数のマイクロプロセッサ、ＤＳＰコアで結合する１つ以上のコンビネーション或いは任意の他のこのような結合としても実施される。
【００８４】
本開示に関連して説明された方法又はアルゴリズムのステップは、ハードウェア、プロセッサによって実行されるソフトウェア・モジュール或いはこの２つの組み合わせによって直接的に具体化されてもよい。ソフトウェア・モジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブル・ディスク、ＣＤ−ＲＯＭ或いは当業者で知られた記憶メディアの任意の他の形式に備わっていてもよい。例示的な記憶メディアは、プロセッサが記憶メディアから情報を読み出すことができ、記憶メディアに情報を書き込むことが出来るようなプロセッサと連結される。代案において、記憶メディアは、プロセッサと一体となっても良い。プロセッサと記憶メディアは、ＡＳＩＣに存在していてもよい。ＡＳＩＣは、ユーザ端末に存在していてもよい。代案において、プロセッサと記憶メディアは、ユーザ端末内の分離したコンポーネントとして存在していてもよい。
【００８５】
１つ以上の例示的な設計において、この機能は、ハードウェア、ソフトウェア、ファームウェア或いは、これらの組み合わせの中で実施されてもよい。ソフトウェアで実施される場合、この機能は、コンピュータ判読可能なメディア上の１つ以上の命令又はコードとして格納され又は送信されてもよい。コンピュータ判読可読なメディアは、ある場所から別の場所にコンピュータ・プログラムの移動を容易にする、任意のメディアを含むコンピュータ記憶メディアと通信メディアとの両方を含む。記憶メディアは、汎用又は専用コンピュータによってアクセスできる。限定ではなく、例示として、このようなコンピュータ判読可能メディアは、ＲＡＭ、ＲＯＭ、ＥＥＰＲＯＭ、ＣＤ−ＲＯＭ又は他の光学ディスク記憶装置、磁気記憶装置又は他の磁気記憶装置デバイス或いは命令の形式又はデータ構造の要求されたプログラム・コード手段を運ぶ又は格納するために利用され、汎用又は専用コンピュータ或いは汎用又は専用プロセッサによってアクセスされる、任意の他のメディアを含むことができる。更に、任意の接続は、コンピュータ判読可能メディアに適切な名称がつけられる。例えば、ソフトウェアが同軸ケーブル、光ファイバー・ケーブル、ツイストテッド・ペア、デジタル加入者線（ＤＳＬ）或いは赤外線、無線及びマイクロ波のような無線技術を使用したウェブサイト、サーバ或いは他の同軸ケーブルから送信される場合、同軸ケーブル、光ファイバー・ケーブル、ツイステッド・ペア、ＤＳＬ或いは赤外線、無線及びマイクロ波のような無線技術は、メディアの定義に含まれる。ここで使用されるようなディスク（ｄｉｓｋ）及び（ｄｉｓｃ）は、コンパクト・ディスク（ＣＤ）、レーザー・ディスク、光学ディスク、デジタル多目的ディスク（ＤＶＤ）、フロッピー（登録商標）・ディスク及びｂｌｕ−ｒａｙ（登録商標）・ディスクを含む。ここで、ディスク（ｄｉｓｋ）は、通常磁気的にデータを再生し、一方、ディスク（ｄｉｓｃ）は、レーザーで工学的にデータを再生する。更に、上記の組み合わせは、コンピュータ判読可能メディアの範囲内に含まれる。
【００８６】
本開示の以前の説明は、任意の当業者が本開示を創作又は使用することを可能にするために提供される。本開示に対する様々な修正は、当業者において容易に実施され、ここで定義された一般的な原理は、本開示の意図又は範囲から外れない他のバリエーションに適用される。従って、本開示は、ここで説明された例示及び設計に限定される意図は無く、ここで説明された原理及び新規な特徴に一致する最も広い範囲を認容する。
【図１】
2010529720.tif 000016
【図２】
2010529720.tif 000017
【図３】
2010529720.tif 000018
【図４】
2010529720.tif 000019
【図５】
2010529720.tif 000020
【図６】
2010529720.tif 000021
【図７】
2010529720.tif 000022
【図８】
2010529720.tif 000023
【図９】
2010529720.tif 000024
【図１０】
2010529720.tif 000025
【図１１】
2010529720.tif 000026
【図１２】
2010529720.tif 000027
【国際調査報告】
2010529720.tif 000028
2010529720.tif 000029
2010529720.tif 000030